【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
第１の母材を加工して時計用部品を製造するための時計用部品の製造方法であって、
前記第１の母材を第１テーブルに設定して機械加工により第１加工部分を削り出して対象部位を形成する第１加工ステップと、
第２テーブルに設定された第２の母材を機械加工により削り出しすることで、前記対象部位を保持する保持部分を形成する第２加工ステップと、
前記対象部位を前記保持部分にて保持して、前記対象部位を前記第１の母材から削り出し加工により分離する第３加工ステップと、
前記第１の母材から分離された前記対象部位に対してさらに機械加工により削り出しすることで前記対象部位に第２加工部分を形成する第４加工ステップとを有することを特徴とする時計用部品の製造方法。
【請求項２】
請求項１に記載の時計用部品の製造方法において、
時計用部品を前記第１加工ステップ、第２加工ステップ、第３加工ステップ、第４加工ステップの順に加工し、その後、前記第１テーブルに設定された切断加工後の残りの前記第１の母材及び第２テーブルに設定された保持部分形成後の前記第２の母材を用いて、第２の時計用部品を前記第１加工ステップ、第２加工ステップ、第３加工ステップ、第４加工ステップの順に加工し、以降、同様に各ステップを順次繰り返し、１つの第１の母材から形状の異なる複数の時計用部品を順次加工することを特徴とする時計用部品の製造方法。
【請求項３】
請求項１に記載の時計用部品の製造方法において、
時計用部品を前記第１加工ステップ、第２加工ステップ、第３加工ステップ、第４加工ステップの順に加工し、その後、前記第１テーブルに設定された切断加工後の残りの前記第１の母材を用いて、前記第１加工ステップ、第３加工ステップ、第４加工ステップの順に加工することにより同一形状の時計用部品を複数個連続して加工することを特徴とする時計用部品の製造方法。
【請求項４】
請求項１に記載の時計用部品の製造方法において、
時計用部品を前記第１加工ステップ、第２加工ステップ、第３加工ステップ、第４加工ステップの順に加工し、その後、前記第１テーブルに設定された切断加工後の残りの前記第１の母材を用いて、前記第１加工ステップ、第３加工ステップ、第４加工ステップの順に加工し、その後、前記第１テーブルに設定された切断加工後の残りの前記第１の母材及び前記第２テーブルに設定された保持部分形成後の前記第２の母材を用いて、第２の時計用部品を前記第１加工ステップ、第２加工ステップ、第３加工ステップ、第４加工ステップの順に加工し、以降、この順序に形状の異なる時計用部品を必要数ずつ加工することを特徴とする時計用部品の製造方法。
【請求項５】
請求項１乃至４の何れか一項に記載の時計用部品の製造方法において、
前記第１加工ステップ、第２加工ステップの順に替えて、第２加工ステップ、第１加工ステップの順に加工することを特徴とする時計用部品の製造方法。
【請求項６】
請求項１乃至５の何れか一項に記載の時計用部品の製造方法において、
前記第１加工ステップにおいて削り出し加工された対象部位を、第２テーブル側の内・外径押さえチャックに着脱自在に保持される保持部分で保持することを特徴とする時計用部品の製造方法。
【請求項７】
請求項１乃至６の何れか一項に記載の時計用部品の製造方法において、
前記第１の母材を第１テーブルに保持する保持手段により、当該第１の母材を着脱自在に前記第１テーブルへ設定することを特徴とする時計用部品の製造方法。
【請求項８】
請求項１乃至７の何れか一項に記載の時計用部品の製造方法において、
前記機械加工は、第１加工ステップと第４加工ステップの少なくとも何れか一方に、研磨加工を含むことを特徴とする時計用部品の製造方法。
【請求項９】
請求項１乃至８の何れか一項に記載の時計用部品の製造方法において、
前記第２テーブルと前記保持部分との間に設けられた位置決め手段により、前記保持部分を前記第２テーブルに対して位置決めすることを特徴とする時計用部品の製造方法。
【請求項１０】
請求項１乃至９の何れか一項に記載の時計用部品の製造方法において、
前記第４加工ステップの加工終了した時計用部品を、前記保持部分から除材する除材工程を備えたことを特徴とする時計用部品の製造方法。
【請求項１１】
請求項１乃至１０の何れか一項に記載の時計用部品の製造方法によって製造されることを特徴とする時計用部品。
【請求項１２】
請求項１乃至１０の何れか一項に記載の時計用部品の製造方法によって製造される時計用部品を備えたことを特徴とする時計。
【手続補正２】
【補正対象書類名】明細書
【補正対象項目名】０００７
【補正方法】変更
【補正の内容】
【０００７】
上記問題を解決するために、本発明の時計用部品の製造方法は、第１の母材を加工して時計用部品を製造するための時計用部品の製造方法であって、前記第１の母材を第１テーブルに設定して機械加工により第１加工部分を削り出して対象部位を形成する第１加工ステップと、第２テーブルに設定された第２の母材を機械加工により削り出しすることで、前記対象部位を保持する保持部分を形成する第２加工ステップと、前記対象部位を前記保持部分にて保持して、前記対象部位を前記第１の母材から削り出し加工により分離する第３加工ステップと、前記第１の母材から分離された前記対象部位に対してさらに機械加工により削り出しすることで前記対象部位に第２加工部分を形成する第４加工ステップとを有する。
【手続補正３】
【補正対象書類名】明細書
【補正対象項目名】０００９
【補正方法】変更
【補正の内容】
【０００９】
また、本発明の時計用部品の製造方法は、時計用部品を前記第１加工ステップ、第２加工ステップ、第３加工ステップ、第４加工ステップの順に加工し、その後、前記第１テーブルに設定された切断加工後の残りの前記第１の母材及び第２テーブルに設定された保持部分形成後の前記第２の母材を用いて、第２の時計用部品を前記第１加工ステップ、第２加工ステップ、第３加工ステップ、第４加工ステップの順に加工し、以降、同様に各ステップを順次繰り返し、１つの第１の母材から形状の異なる複数の時計用部品を順次加工することを特徴とする。
【手続補正４】
【補正対象書類名】明細書
【補正対象項目名】００１１
【補正方法】変更
【補正の内容】
【００１１】
また、本発明の時計用部品の製造方法は、時計用部品を前記第１加工ステップ、第２加工ステップ、第３加工ステップ、第４加工ステップの順に加工し、その後、前記第１テーブルに設定された切断加工後の残りの前記第１の母材を用いて、前記第１加工ステップ、第３加工ステップ、第４加工ステップの順に加工することにより同一形状の時計用部品を複数個連続して加工することを特徴とする。
上記の製造方法によれば、偏芯や芯振れ等が少なく、しかも表裏面の同軸度の良い高精
度の時計用部品を所望数、容易に得ることができる。
【手続補正５】
【補正対象書類名】明細書
【補正対象項目名】００１２
【補正方法】変更
【補正の内容】
【００１２】
また、本発明の時計用部品の製造方法は、時計用部品を前記第１加工ステップ、第２加工ステップ、第３加工ステップ、第４加工ステップの順に加工し、その後、前記第１テーブルに設定された切断加工後の残りの前記第１の母材を用いて、前記第１加工ステップ、第３加工ステップ、第４加工ステップの順に加工し、その後、前記第１テーブルに設定された切断加工後の残りの前記第１の母材及び前記第２テーブルに設定された保持部分形成後の前記第２の母材を用いて、第２の時計用部品を前記第１加工ステップ、第２加工ステップ、第３加工ステップ、第４加工ステップの順に加工し、以降、この順序に形状の異なる時計用部品を必要数ずつ加工することを特徴とする。